【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
ポリプロピレン、プロピレンコポリマー又はポリプロピレンブレンドの分子量を低減する方法であって、式
Ａ−Ｎ＝Ｎ−Ｂ            （Ｉ）
［式中、Ａ及びＢは異なる構造の炭素環式の炭素原子数６ないし１０のアリール基を表すか、又は構造の基
Ｒ1Ｒ2Ｒ3−Ｃ            （ａ）  又は
Ｃ−Ｒ1’Ｒ2”Ｒ3”’     （ｂ）
（式中、Ｒ1、Ｒ2及びＲ3の１つは水素原子を表し且つＲ1、Ｒ2及びＲ3の２つは炭素原子数１ないし３５の炭化水素基を表すか；又は
Ｒ1、Ｒ2及びＲ3の２つは水素原子を表し且つＲ1、Ｒ2及びＲ3の１つは炭素原子数１ないし３５の炭化水素基を表すか；又は
Ｒ1、Ｒ2及びＲ3は各々炭素原子数１ないし３５の炭化水素基を表し；及び
Ｒ1’、Ｒ2”及びＲ3”’の１つは水素原子を表し且つＲ1’、Ｒ2”及びＲ3”’の２つは炭素原子数１ないし３５の炭化水素基を表し；又は
Ｒ1’、Ｒ2”及びＲ3”’の２つは水素原子を表し且つＲ1’、Ｒ2”及びＲ3”’の１つは炭素原子数１ないし３５の炭化水素基を表すか；又は
Ｒ1’、Ｒ2”及びＲ3”’は炭素原子数１ないし３５の炭化水素基を表す。）
を表す。］
で表される少なくとも１種のアゾ化合物を、分解される前記ポリプロピレン、プロピレンコポリマー又はポリプロピレンブレンドに添加し、及び混合物を加熱することを特徴とする、方法。
【請求項２】
式
Ｒ1Ｒ2Ｒ3−Ｃ−Ｎ＝Ｎ−Ｃ−Ｒ1’Ｒ2”Ｒ3”’      （ＩＩ）
［式中、
（ａ）及び（ｂ）は、異なる構造のものであり、及び
Ｒ1、Ｒ2及びＲ3の１つは水素原子を表し且つＲ1、Ｒ2及びＲ3の２つは、又はＲ1、Ｒ2及びＲ3の２つは水素原子を表し且つＲ1、Ｒ2及びＲ3の１つは、又はＲ1、Ｒ2及びＲ3は
各々、炭素原子数１ないし２０のアルキル基、炭素原子数２ないし２０のアルケニル基、Ｏ、Ｓ及びＮからなる群より選択される少なくとも１個のヘテロ原子により中断された炭素原子数１ないし２０のアルキル基又は炭素原子数２ないし２０のアルケニル基、炭素原子数２ないし２０のアルキニル基、炭素原子数５ないし２０のアリール基、炭素原子数１ないし１２のアルキル−炭素原子数５ないし２０のアリール基、炭素原子数５ないし２０のアリール−炭素原子数１ないし４のアルキル基、単環式又は二環式の炭素原子数５ないし２０のシクロアルキル基、単環式又は二環式の炭素原子数１ないし１２のアルキル−炭素原子数５ないし２０のシクロアルキル基、単環式又は二環式の炭素原子数５ないし２０のシクロアルキル−炭素原子数１ないし４のアルキル基を表すか；又は
二価の炭素原子数１ないし２０のアルキレン基、炭素原子数２ないし２０のアルケニレン基、Ｏ、Ｓ及びＮからなる群より選択された少なくとも１個のヘテロ原子により中断された炭素原子数１ないし２０のアルキレン基又は炭素原子数２ないし２０のアルケニレン基、炭素原子数２ないし２０のアルキニレン基、炭素原子数５ないし２０のアリーレン基、炭素原子数１ないし１２のアルキル−炭素原子数５ないし２０のアリーレン基、炭素原子数５ないし２０のアリール−炭素原子数１ないし４のアルキレン基、単環式又は二環式の炭素原子数５ないし２０のシクロアルキレン基、単環式又は二環式の炭素原子数１ないし１２のアルキル−炭素原子数５ないし２０のシクロアルキレン基、基
Ｒ1Ｒ2Ｒ3−Ｃ−Ｎ＝Ｎ−      （ｃ）
（式中、
Ｒ1、Ｒ2及びＲ3は互いに独立して、水素原子又は炭素原子数１ないし３５の炭化水素
基を表すか；又は
Ｒ1、Ｒ2及びＲ3の２つは、炭素原子と一緒に、単環式又は二環式の炭素原子数５ない
し２０のシクロアルキル基或いは単環式又は二環式の炭素原子数１ないし１２のアルキル−炭素原子数５ないし２０のシクロアルキル基を形成し、且つＲ1、Ｒ2及びＲ3の１つは
、炭素原子数１ないし３５の炭化水素基を表すか；又は
Ｒ1、Ｒ2及びＲ3は炭素原子と一緒に炭素原子数５ないし２０のアリール基又は炭素原
子数１ないし１２のアルキル−炭素原子数５ないし２０のアリール基を形成する。）
により置換された単環式又は二環式の炭素原子数５ないし２０のシクロアルキル−炭素原子数１ないし４のアルキレン基を表し、及び
Ｒ1’、Ｒ2”及びＲ3”’は、Ｒ1、Ｒ2及びＲ3に対し定義されたとおりである。］
で表される少なくとも１種のアゾ化合物を添加することを特徴とする、請求項１に記載の方法。
【請求項３】
式中の基（ａ）及び（ｂ）が異なるものであり、及び
Ｒ1、Ｒ2及びＲ3の１つは水素原子を表し、且つＲ1、Ｒ2及びＲ3の２つは炭素原子数１ないし２０のアルキル基、炭素原子数５ないし２０のシクロアルキル基又は炭素原子数５ないし２０のシクロアルキル−炭素原子数１ないし４のアルキル基を表すか；又は
Ｒ1、Ｒ2及びＲ3の２つは水素原子を表し、且つＲ1、Ｒ2及びＲ3の１つは炭素原子数１ないし２０のアルキル基、炭素原子数５ないし２０のシクロアルキル基又は炭素原子数５ないし２０のシクロアルキル−炭素原子数１ないし４のアルキル基を表すか；又は
Ｒ1、Ｒ2及びＲ3は各々、炭素原子数１ないし２０のアルキル基、炭素原子数５ないし
２０のシクロアルキル基又は炭素原子数５ないし２０のシクロアルキル−炭素原子数１ないし４のアルキル基を表すか；又は
Ｒ1、Ｒ2及びＲ3の２つは炭素原子と一緒に炭素原子数５ないし８のシクロアルキル基
を形成し且つＲ1、Ｒ2及びＲ3の１つは水素原子又は炭素原子数１ないし４のアルキル基
を表すか；又は
Ｒ1、Ｒ2及びＲ3は、炭素原子と一緒に炭素原子数５ないし１０のアリール基を形成し
；及び
Ｒ1’、Ｒ2”及びＲ3”’は、Ｒ1、Ｒ2及びＲ3に対し定義されたとおりである、
ところの式（ＩＩ）で表される少なくとも１種のアゾ化合物を添加することを特徴とする、請求項２に記載の方法。
【請求項４】
式中の基（ａ）及び（ｂ）が異なるものであり、及び
Ｒ1、Ｒ2及びＲ3の１つは水素原子を表し、且つＲ1、Ｒ2及びＲ3の２つは炭素原子数６ないし２０のアルキル基又は炭素原子数５ないし８のシクロアルキル基を表すか；又は
Ｒ1、Ｒ2及びＲ3の２つは水素原子を表し、且つＲ1、Ｒ2及びＲ3の１つは炭素原子数６ないし２０のアルキル基又は炭素原子数５ないし８のシクロアルキル基を表すか；又は
Ｒ1、Ｒ2及びＲ3は各々、炭素原子数１ないし２０のアルキル基又は炭素原子数５ない
し８のシクロアルキル基を表すか；又は
Ｒ1、Ｒ2及びＲ3の２つは炭素原子と一緒に炭素原子数５ないし８のシクロアルキル基
を形成し且つＲ1、Ｒ2及びＲ3の１つは水素原子又は炭素原子数１ないし４のアルキル基
を表すか；又は
Ｒ1、Ｒ2及びＲ3は炭素原子と一緒に炭素原子数５ないし１０のアリール基を形成し；
及び
Ｒ1’、Ｒ2”及びＲ3”’は、Ｒ1、Ｒ2及びＲ3に対し定義されたとおりである、
ところの式（ＩＩ）で表される少なくとも１種のアゾ化合物を添加することを特徴とする、請求項２に記載の方法。
【請求項５】
Ａ）式
Ｒ1Ｒ2Ｒ3−Ｃ−Ｎ＝Ｎ−Ｃ−Ｒ1’Ｒ2”Ｒ3”’      （ＩＩ）
（式中、
（ａ）及び（ｂ）は、異なる構造のものであり、及び
Ｒ1、Ｒ2及びＲ3の１つは水素原子を表し、且つＲ1、Ｒ2及びＲ3の２つは、炭素原子数１ないし２０のアルキル基、炭素原子数５ないし２０のシクロアルキル基又は炭素原子数５ないし２０のシクロアルキル−炭素原子数１ないし４のアルキル基を表すか；又はＲ1
、Ｒ2及びＲ3の２つは水素原子を表し、且つＲ1、Ｒ2及びＲ3の１つは、炭素原子数１な
いし２０のアルキル基、炭素原子数５ないし２０のシクロアルキル基又は炭素原子数５ないし２０のシクロアルキル−炭素原子数１ないし４のアルキル基を表すか；又はＲ1、Ｒ2及びＲ3は各々、炭素原子数１ないし２０のアルキル基、炭素原子数５ないし２０のシク
ロアルキル基又は炭素原子数５ないし２０のシクロアルキル−炭素原子数１ないし４のアルキル基を表すか；又はＲ1、Ｒ2及びＲ3の２つは、炭素原子と一緒に炭素原子数５ない
し８のシクロアルキル基を形成し、且つＲ1、Ｒ2及びＲ3の１つは水素原子又は炭素原子
数１ないし４のアルキル基を表すか；又はＲ1、Ｒ2及びＲ3は、炭素原子と一緒に炭素原
子数５ないし１０のアリール基を形成し；及び
Ｒ1’、Ｒ2”及びＲ3”’は、Ｒ1、Ｒ2及びＲ3に対し定義されたとおりである。）で表される少なくとも１種のアゾ化合物であって、但し、Ｒ1、Ｒ2及びＲ3の１つが水素原子
を表し且つＲ1、Ｒ2及びＲ3の２つがシクロヘキシル基を表し、並びに、Ｒ1’、Ｒ2”及
びＲ3”’の２つが水素原子を表し且つＲ1、Ｒ2及びＲ3の１つが炭素原子数１５のアルキル基を表すところの化合物（ＩＩ）を除くもの；及び
Ｂ）ポリプロピレン、プロピレンコポリマー又はポリプロピレンブレンド
を含むポリマー組成物。
【請求項６】
Ａ）式中、基（ａ）及び（ｂ）は、異なる構造のものであり、及び
Ｒ1、Ｒ2及びＲ3の１つは水素原子を表し、且つＲ1、Ｒ2及びＲ3の２つは、炭素原子数６ないし２０のアルキル基又は炭素原子数５ないし８のシクロアルキル基を表すか；又は
Ｒ1、Ｒ2及びＲ3の２つは水素原子を表し、且つＲ1、Ｒ2及びＲ3の１つは、炭素原子数６ないし２０のアルキル基又は炭素原子数５ないし８のシクロアルキル基を表し；及び
Ｒ1’、Ｒ2”及びＲ3”’の１つは水素原子を表し、且つＲ1、Ｒ2及びＲ3の２つは異なる構造の炭素原子数６ないし２０のアルキル基又は炭素原子数５ないし８のシクロアルキル基を表すか；又は
Ｒ1’、Ｒ2”及びＲ3”’の２つは水素原子を表し、且つＲ1、Ｒ2及びＲ3の１つは、異なる構造の炭素原子数６ないし２０のアルキル基又は炭素原子数５ないし８のシクロアルキル基を表し、
Ｒ1、Ｒ2及びＲ3の２つは、炭素原子と一緒に炭素原子数５ないし８のシクロアルキル
基を形成し、且つＲ1、Ｒ2及びＲ3の１つは水素原子又は炭素原子数１ないし４のアルキ
ル基を表すところの、式（ＩＩ）で表される少なくとも１種のアゾ化合物であって、但し、Ｒ1、Ｒ2及びＲ3の１つが水素原子を表し且つＲ1、Ｒ2及びＲ3の２つがシクロヘキシル基を表し、並びに、Ｒ1’、Ｒ2”及びＲ3”’の２つが水素原子を表し且つＲ1、Ｒ2及び
Ｒ3の１つが炭素原子数１５のアルキル基を表すところの化合物（ＩＩ）を除くもの；及
び
Ｂ）ポリプロピレン、プロピレンコポリマー又はポリプロピレンブレンド
を含むポリマー組成物。